(57)【要約】【課題】靴下のように着用する脱げ防止型フットカバーを提供すること。【解決手段】本発明の脱げ防止型フットカバーは、靴下編成機を用いて足底部（２）と甲部（３）を綿糸で製織し、甲部に連結される履き口部（５）を伸縮性のゴム糸で一体に製織して形成し、前記履き口部（５）の上端を外側に折り返してオーバーロックをかけた帯状の仕上げ部（６）を形成することにより、前記履き口部全体が足に弾力的に密着して従来のフットカバーに比べて脱げを防止し、優れた着用感を提供するうえ、従来のフットカバーに比べて製造工程が単純化されてコストダウンおよび生産性の向上を図ることができる。【選択図】図３
2014227645.tif 000002
【特許請求の範囲】
【請求項１】
足底部、甲部及び履き口部から構成されるフットカバーであって、
靴下編成機を用いて前記足底部と前記甲部とを綿糸で製織し、
前記甲部に連結される履き口部を、伸縮性のゴム糸で前記甲部と一体に製織して形成し、
前記履き口部の上端を外側に折り返してオーバーロックをかけた帯状の仕上げ部を形成することを特徴とする、フットカバー。
【発明の詳細な説明】
【技術分野】
【０００１】
本発明は、靴下のように着用するフットカバーに関する。
【背景技術】
【０００２】
一般に、フットカバーは、靴下やストッキングなどのように足に着用するものである。
【０００３】
このような従来のフットカバーは、図１および図２に示すように、靴下編成機を用いて足底部１２、甲部１３および履き口部１５を綿糸で製織し、前記履き口部の上端を内側に折り返してオーバーロックをかけ、内部にゴム糸１７と綿糸１８を挿入して伸縮性の仕上げ部１６を形成するようにしたものである。
【０００４】
ところが、前述した従来のフットカバーは、全体を綿糸で製織し、前記履き口部１５の上端を内側に折り返して内部にゴム糸１７と綿糸１８を挿入することによりゴム糸１７によって部分的に伸縮性を持つため、足首に密着する弾力性が低下して着用の際に足から容易に脱げるという問題点があった。
【０００５】
また、前述した従来のフットカバーは、履き口部１５の上端を内側に折り返して仕上げ部１６を形成し、該仕上げ部１６の内部にゴム糸１７と綿糸１８を挿入するため、大きく段差が形成されて素足の皮膚との接触感に劣るという問題点があった。
【０００６】
また、韓国実用新案出願第２００２−１３３２２号では、フットカバーの脱げを防止するために、フットカバーの踵部の内側にシリコンコート処理を施してフットカバーの脱げを防止しようとしたが、これは、フットカバーの製作とは別に、フットカバーの踵部の内側にシリコンコート処理を施さなければならないので製造生産性に劣るという問題点と、前記シリコンコート処理のみで足に密着する弾力性を十分確保することができないのでフットカバーの脱げが効果的に防止できないという問題点があった。
【先行技術文献】
【特許文献】
【０００７】
【特許文献１】韓国特許出願第１０−２００９−７０１２１１９号明細書
【特許文献２】韓国実用新案出願第２０−２００２−１３３２２号明細書
【発明の概要】
【発明が解決しようとする課題】
【０００８】
そこで、本発明は、上記問題に鑑みてなされたものであり、本発明の目的とするところは、従来のフットカバーに比べて脱げを防止することが可能な、新規かつ改良されたフットカバーを提供することにある。
【課題を解決するための手段】
【０００９】
上記課題を解決するために、本発明のある観点によれば、足底部、甲部及び履き口部から構成されるフットカバーであって、前記足底部と前記甲部とは、靴下編成機を用いて綿糸で製織され、前記甲部に連結される履き口部は、伸縮性のゴム糸で前記甲部と一体に製織して形成され、前記履き口部の上端を折り返してオーバーロックをかけた帯状の仕上げ部が形成されることを特徴とする、フットカバーが提供される。
【発明の効果】
【００１０】
以上説明したように本発明によれば、従来のフットカバーに比べて脱げを防止することが可能となる。
【図面の簡単な説明】
【００１１】
【図１】従来のフットカバーを示す斜視図である。
【図２】図１の履き口部の拡大断面図である。
【図３】本発明のフットカバーを示す斜視図である。
【図４】図３の「Ａ」部分の拡大図である。
【図５】図４の断面図である。
【図６】本発明のフットカバーの一例を示す写真である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
本発明は、靴下のように着用するフットカバーに関する。本発明の目的は、足底部と甲部を綿糸で製織し、甲部に連結される履き口部を伸縮性のゴム糸で一体に製織して形成することにより、前記履き口部全体が足に弾力的に密着して従来のフットカバーに比べて脱げを防止するのはもとより、製造工程が単純化されてコストダウンおよび生産性の向上を図る脱げ防止型フットカバーを提供することにある。
【００１４】
また、本発明の他の目的は、履き口部の上端を外側に折り返してオーバーロックをかけることにより、皮膚接触を減らして優れた着用感を有するフットカバーを提供することにある。
【００１５】
本発明の一実施形態に係る脱げ防止型フットカバー１は、図３〜図６に示すように、足底部２、甲部３および履き口部５から構成されるフットカバーにおいて、靴下編成機を用いて足底部２と甲部３を綿糸で製織し、甲部３に連結される履き口部５を伸縮性のゴム糸で一体に製織して形成し、履き口部５の上端を折り返してオーバーロックをかけた帯状の仕上げ部６を形成することにより、履き口部５全体が足に弾力的に密着して脱げを防止するようになっている。
【００１６】
この際、帯状の仕上げ部６は、履き口部５の上端を外側に折り返してオーバーロックをかけて構成することが好ましい。
【００１７】
ゴム糸で製作される履き口部５は、フットカバーの形態に応じて多様な形状をとる。
【００１８】
さらに、ゴム糸は伸縮性を有する多様な材質に変更可能である。このような単純材質の変更の度合いは本発明の権利範囲に帰属する。
【００１９】
次に、前述のように構成される本発明の作動および作用について考察する。
【００２０】
本発明の一実施形態に係る脱げ防止型フットカバー１は、靴下編成機を用いて足底部２と甲部３を綿糸で製織し、甲部３に連結される履き口部５を伸縮性のゴム糸で一体に製織して形成したものである。
【００２１】
履き口部５の上端を外側に折り返してオーバーロックをかけて帯状の仕上げ部６を形成する。
【００２２】
このようなフットカバー１を足に着用すると、フットカバーの履き口部５が着用者の足首の位置に弾力的に密着する。
【００２３】
すなわち、フットカバー１の履き口部５がゴム糸で製織されて全体的に足に密着するため、広い密着面で密着性を高めて従来のフットカバーに比べて脱げを効果的に防止する。
【００２４】
特に、前述のように履き口部５を伸縮性のゴム糸で製織して甲部３と一体に形成するため、従来のようにゴム糸と綿糸を挿入して伸縮性を確保する過程が排除され、フットカバーの踵部の内側に施す脱げ防止のためのシリコンコート過程が排除されて製造工程が単純化されるので、コストダウンおよび生産性の向上を図ることができる。
【００２５】
それだけでなく、履き口部５の上端の帯状の仕上げ部６は、外側に折り返してオーバーロックをかけるため、内側に折り返して内部にゴム糸と綿糸を挿入した従来の形態に比べて着用者の素足の皮膚に荒く接触する部分がない。よって、本発明のフットカバーは優れた着用感を提供する。
【００２６】
このように、本発明によれば、靴下のように着用するフットカバーを製織するために、靴下編成機を用いて足底部と甲部を綿糸で製織し、甲部に連結される履き口部を伸縮性のゴム糸で一体に製織して形成することにより、履き口部全体が足に弾力的に密着して従来のフットカバーに比べて脱げを防止するのはもとより、製造工程が単純化されてコストダウンおよび生産性の向上を図るという効果を持つ。
【００２７】
さらに、フットカバーの履き口部の上端を外側に折り返してオーバーロックをかけるので、皮膚接触を減らして優れた着用感を提供するという効果を持つ。
【００２８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００２９】
１      フットカバー
２      足底部
３      甲部
５      履き口部
６      帯状の仕上げ部
【図１】
2014227645.tif 000003
【図２】
2014227645.tif 000004
【図３】
2014227645.tif 000005
【図４】
2014227645.tif 000006
【図５】
2014227645.tif 000007
【図６】
2014227645.tif 000008